(57)【要約】【課題】ディスプレイにおける動画の描画性能を、容易に、且つ正確に評価することができるディスプレイの動画質評価用映像及び動画質評価方法を提供すること。【解決手段】ディスプレイの動画質評価用映像８として、ディスプレイの同一画面に同じ絵柄の２つ画像を並べて表示させ、一方の画像は静止画像１として表示し、他方の画像は所定速度で移動する動画像７として表示する。【選択図】図４
2007174382.tif 000002
【特許請求の範囲】
【請求項１】
同一画面に同じ絵柄の２つ画像を並べて表示させ、一方の画像は静止画像として表示し、他方の画像は移動する動画像として表示することを特徴とするディスプレイの動画質評価用映像。
【請求項２】
前記動画像は、前記静止画像としての画像の一部を切り出した画像で、元の静止画像を背景として画面内を移動させることを特徴とする請求項１に記載のディスプレイの動画質評価用映像。
【請求項３】
前記動画像の移動が直線運動であることを特徴とする請求項１又は２に記載のディスプレイの動画質評価用映像。
【請求項４】
前記動画像の移動が、画面内の横方向、縦方向、横/縦を組み合わせた方形のいずれかであることを特長とする請求項１乃至３の何れか一項に記載のディスプレイの動画質評価用映像。
【請求項５】
前記動画像の移動が、円運動であることを特徴とする請求項１又は２に記載のディスプレイの動画質評価用映像。
【請求項６】
前記動画像の移動速度を変化させることを特徴とする請求項１乃至５の何れか一項に記載のディスプレイの動画質評価用映像。
【請求項７】
上記請求項１乃至請求項６の何れかに記載のディスプレイの動画質評価用映像を用いて官能評価を行い、ディスプレイにおける動画質を判定することを特徴とするディスプレイの動画質評価方法。
【請求項８】
上記請求項１乃至請求項６の何れかに記載のディスプレイの動画質評価用映像を表示させ、移動部分と静止部分とをＣＣＤ等の手段で抽出し、移動部分と静止部分の差分をとることによって動画質を判定することを特徴とするディスプレイの動画質評価方法。
【発明の詳細な説明】
【技術分野】
【０００１】
本発明は、ディスプレイの動画質評価用映像及び動画質評価方法に関する。
【背景技術】
【０００２】
従来からのＣＲＴの代わりに、液晶ディスプレイ（ＬＣＤ）やプラズマディスプレイ（ＰＤＰ）といった薄型の平面表示装置（ＦＰＤ）が使用されるケースが増えている。
当初、ＬＣＤやＰＤＰなどの平面表示装置は、ＣＲＴに比べて動画質が劣っていた。しかし、近年の技術開発（液晶の応答速度向上、バックライトブリンキング、ハイフレームレート駆動、残光時間低減など）により、これらの平面表示装置は、急速に動画質が向上してきた。
【０００３】
これらの平面表示装置の開発にあたっては、動画質を迅速且つ正確に評価し、また、その結果をわかりやすくユーザーに認知してもらうことが重要になってきている。
これまで、ディスプレイの動画質評価方法としては、次の（ａ）、（ｂ）に示すものが普及している。
（ａ）画面に表示した単純なパターンを画面内で移動させて、その表示画面をＣＣＤなどで撮影し、画像処理することにより動画質を評価する方法（例えば、特許文献１，２参照）。
（ｂ）画面に特定のパターンを表示して目視で評価する方法（例えば、特許文献３参照）等が知られている
【０００４】
【特許文献１】特開２００１−２０４０４９号公報
【特許文献２】特開２００４−３６３７９８号公報
【特許文献３】特開２００１−３０５０１５号公報
【発明の開示】
【発明が解決しようとする課題】
【０００５】
ところが、上記（ａ）のディスプレイの動画質評価方法では実際の映像をイメージし難く、ユーザーに対して動画質をわかりやすく伝えられないという問題があった。
また、（ｂ）のディスプレイの動画質評価方法は、画面内に比較対象が存在しないため、正確な評価が難しいといった問題があった。
【０００６】
そこで、本発明の目的は上記課題を解消することに係り、ディスプレイにおける動画の描画性能の優劣を、容易に、且つ正確に評価することができるディスプレイの動画質評価用映像及び動画質評価方法を提供することである。
【課題を解決するための手段】
【０００７】
（１）本発明の上記目的は、同一画面に同じ絵柄の２つ画像を並べて表示させ、一方の画像は静止画像として表示し、他方の画像は所定速度で移動する動画像として表示することを特徴とするディスプレイの動画質評価用映像により達成される。
【０００８】
上記構成によれば、移動する画像の画質状態が、静止画像との対比効果により、容易に、且つ、正確に判別できる。
即ち、これによってディスプレイの動画の描画性能（動画質性能）の優劣を、容易に、且つ正確に評価することが可能になり、専門家だけでなく一般のユーザーに対してもディスプレイの動画質性能をわかりやすく提示することができる。
【０００９】
（２）上記（１）に記載のディスプレイの動画質評価用映像において、前記動画像は、前記静止画像としての画像の一部を切り出した画像で、元の静止画像を背景として画面内を移動させる構成とすることができる。
このような構成にすると、動画像は、静止画の一部であるので、同一の静止画との対比のみならず、動いている画像と動かない画像の繋がり部分の比較も可能となり、評価がより判り易くなる。
【００１０】
（３）上記（１）又は（２）に記載のディスプレイの動画質評価用映像において、前記動画像の移動が直線運動である構成とすることができる。
このような構成にすると、動画像を移動させるための描画処理の制御が単純で済み、ディスプレイの動画質評価用映像を描画するための制御プログラムが簡単で済む。
【００１１】
（４）上記（１）乃至（３）のいずれか一つに記載のディスプレイの動画質評価用映像において、前記動画像の移動が、画面内の横方向、縦方向、横/縦を組み合わせた方形のいずれかである構成とすることができる。
このような構成にすると、表示装置の全面における画面寸法や動画質評価用映像に応じて、画質状態が現れ易い移動方向を選択することで、動画質性能の優劣を判定し易くすることができる。
【００１２】
（５）上記（１）乃至（４）のいずれか一つに記載のディスプレイの動画質評価用映像において、前記動画像の移動が、円運動である構成とすることができる。
このような構成にすると、円運動に多様な移動方向が含まれるため、表示画面全面における、各種の移動方向に対して動画質の劣化の有無を評価することができ、動画質性能の優劣の判定をより正確に行うことが可能になる。
【００１３】
（６）上記（１）乃至（５）のいずれか一つに記載のディスプレイの動画質評価用映像において、前記動画像の移動速度を変化させる構成とすることができる。
このような構成にすると、動画像の移動速度を変化させることで、多種の移動速度について動画質の劣化の有無を評価することができ、動画質性能の優劣の判定をより正確に行うことが可能になる。
【００１４】
（７）また、本発明の上記目的は、上記（１）乃至（６）の何れかに記載のディスプレイの動画質評価用映像を用いて官能評価を行い、ディスプレイにおける動画質を判定することを特徴とするディスプレイの動画質評価方法により達成される。
このようなディスプレイの動画質評価方法は、例えば、商品となるディスプレイの展示場等で、展示されているディスプレイに上記（１）乃至（６）の何れかに記載のディスプレイの動画質評価用映像を表示させるだけで、ユーザー等が自分の視覚で動画質の優劣を容易に、且つ正確に評価することができる。
【００１５】
（８）また、本発明の上記目的は、上記（１）乃至（６）の何れかに記載のディスプレイの動画質評価用映像を表示させ、移動部分と静止部分とをＣＣＤ等の手段で抽出し、移動部分と静止部分の差分をとることによって動画質を判定することを特徴とするディスプレイの動画質評価方法により達成される。
このような構成にすると、動画質の劣化の有無を、移動部分と静止部分の差分を解析する評価手段（評価装置）により正確に数値化して判定することができ、動画質の優劣を更に正確に評価することができる。
【発明の効果】
【００１６】
本発明に係るディスプレイの動画質評価用映像及び動画質評価方法では、移動する画像の画質状態が、静止画像との対比効果により、容易に、且つ、正確に判別できる。
即ち、これによってディスプレイの動画の描画性能（動画質性能）の優劣を、容易に、且つ正確に評価することが可能になり、専門家だけでなく一般のユーザーに対してもディスプレイの動画質性能をわかりやすく提示することができる。
【発明を実施するための最良の形態】
【００１７】
以下、本発明に係るディスプレイの動画質評価用映像の好適な実施の形態について、図面を参照して詳細に説明する。
図１は本発明に係るディスプレイの動画質評価用映像の第１実施形態で使用される静止画像を示す概略図、図２は本発明に係るディスプレイの動画質評価用映像の第１実施形態の構成説明図である。
【００１８】
図１に示した静止画像１は、カラーリバーサルフィルムで風景画を撮影し、現像の後フィルムスキャナーを用いてＴＩＦＦ形式の静止画像データに仕上げた画像を描写したものである。
本発明では、単純パターンを利用することも可能であるが、図１に示したような風景画は、単純なパターンを使用する場合と比較して、色彩、形状、明度、シャープネスなどに多様な変化が含まれており、画質の劣化の有無をより微細に評価する場合に適する。
【００１９】
図２に示した第１実施形態のディスプレイの動画質評価用映像２は、一つのディスプレイの画面Ｄに、同じ絵柄の２つ画像３，４を左右に並べて表示させ、一方（右側）の画像３には図１に示した静止画像１をそのまま静止画像として表示し、他方の画像４には静止画像１を所定速度で移動させる動画像として表示するものである。
【００２０】
具体的には、動画像となる画像４は、例えば市販の動画編集ソフトなどを用いて、矢印Ａに示す縦方向に０．５Ｈ／ｓｅｃ（Ｈ：画面の高さ）の速度で移動する映像に作成する。この映像を検査対象である各種液晶テレビに入力して図２に示した動画質評価用映像２の状態とし、この映像を観察する。このような映像を観察することで、移動する画像４の画質状態が、静止画像３との対比効果により、容易に、且つ、正確に判別できるようになり、液晶テレビの種類による動画質の差異を明確に視認することができる。
即ち、ディスプレイに上記ディスプレイの動画質評価用映像２を表示させることで、そのディスプレイの動画の描画性能（動画質性能）を、容易に、且つ正確に評価することが可能になり、専門家だけでなく一般のユーザーに対してもディスプレイの動画質性能をわかりやすく提示することができる。
【００２１】
図３は本発明に係るディスプレイの動画質評価用映像の第２実施形態の構成説明図である。
図３に示したディスプレイの動画質評価用映像５は、画面全体に表示させる静止画像１中の一部の画像（図では、破線で矩形に囲った範囲の画像６）を切り出し、この切り出した画像６を動画像７として、元の静止画像１を背景として画面内を移動させる構成である。
動画像７は、画面内を、０．５Ｈ／ｓｅｃ（Ｈは画面の高さ）の速度で方形運動する映像に仕上げている。
図中の破線の矢印Ｂは、動画像７が方形運動により移動する経路を示している。
【００２２】
動画質評価用映像５内の動画像７は、静止画像１の一部で、静止画像１上の対応部位との対比による評価が判り易くなる。
また、動画像７が方形運動することで、左右上下の各方向への移動動作に対して個別に画質の状態を評価することが可能になる。
更に、動画像７のエッジと静止画像１からの切り出し線部分との比較もでき、より明確に動画質状態を判定することができる。
【００２３】
図４は、本発明に係るディスプレイの動画質評価用映像の第３実施形態の構成説明図である。
図４に示したディスプレイの動画質評価用映像８は、画面全体に表示させる静止画像１中の一部の画像（図では、破線で矩形に囲った範囲の画像６）を切り出し、この切り出した画像６を動画像７として、元の静止画像１を背景として画面内を移動させる構成である。
但し、動画像７の移動は、図中に破線１０で示す円周上を移動する円運動で、破線１０に示す円周上を、４５ｄｅｇ／ｓｅｃ、９０ｄｅｇ／ｓｅｃ、１５０ｄｅｇ／ｓｅｃと順次変化する角速度で移動する。
【００２４】
このような構成にすると、円運動により多様な移動方向が含まれるため、図１に示したような静止画像１のような風景画であると、多方向のエッジ部分に対する移動方向の移り変わりの表示状態が分かり、動画質の状態の評価をより細かく正確に実施することができる。
【００２５】
なお、以上の各実施の形態では、ディスプレイに表示した動画質評価用映像を視認することでディスプレイにおける動画質を判定する、所謂官能評価による動画質評価方法での結果を示した。
しかし、本発明に係るディスプレイの動画質評価用映像を用いると、官能評価による動画質評価方法の他に、次に示すディスプレイの動画質評価方法も有効である。
【００２６】
それは、図４に示したディスプレイの動画質評価用映像８を市販の各種液晶テレビに入力して、それぞれのディスプレイに表示された映像をＣＣＤカメラで撮影し、画像解析手段により、各ディスプレイ毎に移動する部分と元の静止部分との差分を画素毎に算出する。更に、差分の２乗和を指標としてディスプレイの動画性能を判定したところ、実際の映像を用いた官能評価結果とよい相関を示し、動画質性能の判定が安定的に実施できる。
このような動画質評価方法では、動画質の状態を、移動部分と静止部分の差分を解析する評価手段（評価装置）により正確に数値化して判定することができるため、動画質の状態を官能評価よりも更に正確に評価することができる。
【００２７】
なお、ディスプレイの画面に表示する静止画像の一部を動画像として切り出して、静止画像の上を移動させる際の動画像の移動方向は、図３に示した方形運動や、図４に示した円運動に限らない。例えば、縦又は横の何れかの直線運動にすることもできる。
画像の移動を単純にすると、動画像の判定制御が単純になり、動画質評価用映像の形成が容易になる。
また、動画像を直線運動させたり、あるいは方形運動させる場合も、移動速度は一定ではなく、適宜に変化させるようにすると良い。これにより、多種の移動速度について、動画質の状態の有無を判定できるようになる。
【図面の簡単な説明】
【００２８】
【図１】本発明に係るディスプレイの動画質評価用映像の第１実施形態で使用される静止画像を示す概略図である。
【図２】本発明に係るディスプレイの動画質評価用映像の第１実施形態の構成説明図である。
【図３】本発明に係るディスプレイの動画質評価用映像の第２実施形態の構成説明図である。
【図４】本発明に係るディスプレイの動画質評価用映像の第３実施形態の構成説明図である。
【符号の説明】
【００２９】
１  静止画像
２  ディスプレイの動画質評価用映像
５  動画質評価用映像
６  画像
７  動画像
８  動画質評価用映像
Ｄ  ディスプレイの画面
【図１】
2007174382.tif 000003
【図２】
2007174382.tif 000004
【図３】
2007174382.tif 000005
【図４】
2007174382.tif 000006